(57)【特許請求の範囲】
【請求項１】
ＡＭＯＬＥＤ表示パネルを有する表示器のGammaパラメーター確定方法であって、
表示器の輝度を設定するステップと、
前記輝度下で、赤、緑、青の三色の各色が輝度０〜２５５順で帯状に配列されて構成する画像であるグラデーション三原色標準画像を発光させるステップと、
異なる複数個のGamma値の各Gamma値γ、前記表示器の入力電圧Ｕ及び定数ｋに対して、前記表示器の出力光信号の強度ＬをＬ＝ｋＵγの関係になるように前記グラデーション三原色標準画像の表示をGamma校正するステップと、
前記Gamma校正の結果により前記輝度に対応する三原色の最適Gammaパラメーターを獲得するステップと、
前記輝度に対応する三原色の最適Gammaパラメーターを表示器のチップに保存するステップとを含み、
前記Gamma校正の結果により前記輝度に対応する三原色の最適Gammaパラメーターを獲得するステップは、
各Gamma値に対応する前記グラデーション三原色標準画像中の不可視グラデーション線の本数を記録するステップと、
前記グラデーション三原色標準画像中の不可視グラデーション線の本数が予め設定した不可視グラデーション線の本数と等しい時の三原色のGamma値を最適Gammaパラメーターに設定するステップとを含む、ことを特徴とする表示器のGammaパラメーター確定方法。
【請求項２】
前記輝度下でグラデーション三原色標準画像を発光させるステップは、
各画素のグレースケール輝度を確定するステップと、
前記グレースケール輝度によってグレースケール電圧を確定するステップと、
前記グレースケール電圧に基づいてプログラムのコンパイルと書き込みを行うステップと、
前記プログラムにより前記グラデーション三原色標準画像を発光させるステップとを含
む、ことを特徴とする請求項１に記載の表示器のGammaパラメーター確定方法。
【請求項３】
前記表示器の輝度をそれぞれ２５０ｃｄ／ｍ２、３００ｃｄ／ｍ２、３５０ｃｄ／ｍ２、４００ｃｄ／ｍ２、４５０ｃｄ／ｍ２に設定し、各輝度に対して、前記異なる複数個のGamma値をそれぞれ１．８、１．９、２．０、２．１、２．２、２．３、２．４、２．５に設定し、前記予め設定した不可視グラデーション線の本数を６本にする、ことを特徴とする請求項１又は２に記載の表示器のGammaパラメーター確定方法。
【請求項４】
ＡＭＯＬＥＤ表示パネルを有する表示器のGammaパラメーター確定装置であって、
前記表示器の輝度を設定する輝度設定ユニットと、
前記輝度下で、赤、緑、青の三色の各色が輝度０〜２５５順で帯状に配列されて構成した画像であるグラデーション三原色標準画像を発光させるグラデーション三原色標準画像起動ユニットと、
異なる複数個のGamma値の各Gamma値γ、前記表示器の入力電圧Ｕ及び定数ｋに対して、前記表示器の出力光信号の強度ＬをＬ＝ｋＵγの関係になるように前記グラデーション三原色標準画像の表示をGamma校正する校正ユニットと、
前記Gamma校正の結果によって前記輝度に対応する前記三原色の最適Gammaパラメーターを獲得する最適Gammaパラメーター獲得ユニットと、
前記輝度に対応する前記三原色の最適Gammaパラメーターを表示器のチップに保存する最適Gammaパラメーター記憶ユニットとを含み、
前記最適Gammaパラメーター獲得ユニットは、
各Gamma値に対して、前記グラデーション三原色標準画像中の不可視グラデーション線の本数を記録する不可視グラデーション線記録ユニットと、
前記グラデーション三原色標準画像中の不可視グラデーション線の本数が予め設定した不可視グラデーション線の本数と等しい時の三原色のGamma値を前記最適Gammaパラメーターに設定する最適Gammaパラメーター確定ユニットとを含む、ことを特徴とする表示器のGammaパラメーター確定装置。
【請求項５】
前記グラデーション三原色標準画像起動ユニットは、
各画素のグレースケール輝度を確定するグレースケール輝度確定ユニットと、
前記グレースケール輝度によってグレースケール電圧を確定するグレースケール電圧確定ユニットと、
前記グレースケール電圧によってプログラムのコンパイルと書き込みを行うプログラムコンパイル・書き込みユニットと、
前記プログラムで前記グラデーション三原色標準画像を発光させる起動ユニットとを含む、ことを特徴とする請求項４に記載の表示器のGammaパラメーター確定装置。
【請求項６】
ＡＭＯＬＥＤ表示パネルを有する表示器の表示方法であって、
表示器の輝度を獲得するステップと、
表示器のチップに保存された前記輝度に対応する三原色の最適Gammaパラメーターを読み出すステップと、
前記三原色の最適Gammaパラメーターで表示器の表示を校正するステップとを含み、
赤、緑、青の三色の各色が輝度０〜２５５順で帯状に配列されて構成する画像であるグラデーション三原色標準画像中の不可視グラデーション線の本数により、前記輝度に対応する前記三原色の最適Gammaパラメーターを確定し、
前記グラデーション三原色標準画像中の不可視グラデーション線の本数により、前記輝度に対応する前記三原色の最適Gammaパラメーターを確定することは、
前記輝度下で前記グラデーション三原色標準画像を発光させるステップと、
異なる複数個のGamma値の各Gamma値γ、前記表示器の入力電圧Ｕ及び定数ｋに対して、前記表示器の出力光信号の強度ＬをＬ＝ｋＵγの関係になるように前記グラデーション三
原色標準画像の表示をGamma校正するステップと、
前記Gamma校正の結果によって前記輝度に対応する前記三原色の最適Gammaパラメーターを獲得するステップとを含み、
前記Gamma校正の結果によって前記輝度に対応する前記三原色の最適Gammaパラメーターを獲得するステップは、
各Gamma値に対して前記グラデーション三原色標準画像中の不可視グラデーション線の本数を記録するステップと、
前記グラデーション三原色標準画像中の不可視グラデーション線の本数が予め設定した不可視グラデーション線の本数と等しい時の三原色のGamma値を最適Gammaパラメーターに設定するステップとを含む、ことを特徴とする表示器の表示方法。
【請求項７】
ＡＭＯＬＥＤ表示パネルを有する表示器の表示装置であって、
表示器の輝度を獲得する輝度獲得ユニットと、
表示器チップに保存された、前記輝度に対応する三原色の最適Gammaパラメーターを獲得するGammaパラメーター獲得ユニットと、
前記三原色の最適Gammaパラメーターで前記表示器の表示を校正する表示校正ユニットとを含み、
前記グラデーション三原色標準画像中の不可視グラデーション線の本数により、前記輝度に対応する三原色の最適Gammaパラメーターを確定し、
前記グラデーション三原色標準画像中の不可視グラデーション線の本数により、前記輝度に対応する前記三原色の最適Gammaパラメーターを確定することは、
前記輝度下で、赤、緑、青の三色の各色が輝度０〜２５５順で帯状に配列されて構成する画像であるグラデーション三原色標準画像を発光させ、
異なる複数個のGamma値の各Gamma値γ、前記表示器の入力電圧Ｕ及び定数ｋに対して、前記表示器の出力光信号の強度ＬをＬ＝ｋＵγの関係になるように前記グラデーション三原色標準画像の表示をGamma校正し、
前記Gamma校正された、各Gamma値に対応する前記グラデーション三原色標準画像中の不可視グラデーション線の本数を記録し、
前記グラデーション三原色標準画像中の不可視グラデーション線の本数が予め設定した不可視グラデーション線の本数と等しい時の三原色のGamma値を最適Gammaパラメーターに設定する、ことを含む、ことを特徴とする表示器の表示装置。
【発明の詳細な説明】
【技術分野】
【０００１】
本発明は、表示技術分野に関し、特に表示器のGammaパラメーター確定方法と装置及び表示器の表示方法と装置に関するものである。
【背景技術】
【０００２】
従来の液晶表示パネルは色々な電子装置に幅広く応用されている。液晶表示パネルの表示方法は、液晶のねじれ角度を変化させることによってバックライトの表示用光線を透過させることである。液晶表示パネルのＮＴＳＣ（National  Television  Standards  Committee、国家テレビ標準化委員会）色域（colour  gamut）は、通常４５％〜８０％ほどである。バックライト光線の光スペクトルは液晶パネルのＮＴＳＣ色域に大きい影響を与える。液晶パネルは、業界で公認されているGammaパラメーター標準を採用している。例えばGamma＝２．２、Gamma＝２．０を採用している。アジア地域の液晶表示パネルは、ウォームカラータイプであり、色温度が低い。ヨーロッパ地域の液晶表示パネルは、クールカラータイプであり、色温度が高い。
【０００３】
ＡＭＯＬＥＤ（Active−matrix  organic  light−emitting  diode、アクティブマトリックス有機発光ダイオード）表示パネルのＮＴＳＣ色域は１００％以上になることができるが、ＡＭＯＬＥＤ表示パネルと液晶表示パネルは根本的に違うので、ＡＭＯＬＥＤ表示パネルは液晶表示パネルのGammaをそのまま採用することができない。一部分のＡＭＯＬＥＤ表示パネルは、１００％以上のＮＴＳＣ色域を表示することができるが、より良い視覚上の表示効果を奏することができない。
【発明の概要】
【発明が解決しようとする課題】
【０００４】
そのため、表示パネルの良好な画面を十分に表示することができる表示器のGammaパラメーター確定方法と装置及び表示器の表示方法と装置を提供する必要がある。
【課題を解決するための手段】
【０００５】
本発明の表示器のGammaパラメーター確定方法は、表示器の輝度を設定するステップと、前記輝度下でグラデーション三原色標準画像を発光させるステップと、異なる複数個のGamma値でグラデーション三原色標準画像の表示を校正するステップと、校正結果により前記輝度に対応する三原色の最適Gammaパラメーターを獲得するステップと、前記輝度に対応する三原色の最適Gammaパラメーターを表示器のチップに保存するステップとを含む。
【０００６】
本発明の実施例において、前記グラデーション三原色標準画像は、赤、緑、青の三色の各色が輝度０〜２５５順で帯状に配列されて構成する画像である。
【０００７】
本発明の実施例において、前記輝度下でグラデーション三原色標準画像を発光させるステップは、各画素のグレースケール輝度を確定するステップと、前記グレースケール輝度でグレースケール電圧を確定するステップと、前記グレースケール電圧に基づいてプログラムのコンパイルと書き込みを行うステップと、前記プログラムにより前記グラデーション三原色標準画像を発光させるステップとを含む。
【０００８】
本発明の実施例において、前記校正結果により前記輝度に対応する三原色の最適Gammaパラメーターを獲得するステップは、各Gamma値におけるグラデーション三原色標準画像中の不可視グラデーション線の本数を記録するステップと、予め設定した不可視グラデー
ション線の本数によって三原色の最適Gammaパラメーターを確定するステップとを含む。
【０００９】
本発明の実施例において、前記予め設定した不可視グラデーション線の本数によって三原色の最適Gammaパラメーターを確定することは、グラデーション三原色標準画像中の不可視グラデーション線の本数が前記予め設定した不可視グラデーション線の本数と等しいときの三原色のGamma値を最適Gammaパラメーターに設定することである。
【００１０】
本発明の実施例において、前記表示器の輝度をそれぞれ２５０ｃｄ／ｍ２、３００ｃｄ／ｍ２、３５０ｃｄ／ｍ２、４００ｃｄ／ｍ２、４５０ｃｄ／ｍ２に設定し、各輝度において、前記異なる複数個のGamma値をそれぞれ１．８、１．９、２．０、２．１、２．２、２．３、２．４、２．５に設定し、前記予め設定した不可視グラデーション線の本数を６本にする。
【００１１】
本発明のGammaパラメーター確定装置は、表示器の輝度を設定する輝度設定ユニットと、前記輝度下でグラデーション三原色標準画像を発光させるグラデーション三原色標準画像起動ユニットと、異なる複数個Gamma値で前記グラデーション三原色標準画像の表示を校正する校正ユニットと、校正結果によって前記輝度に対応する前記三原色の最適Gammaパラメーターを獲得する最適Gammaパラメーター獲得ユニットと、前記輝度に対応する前記三原色の最適Gammaパラメーターを表示器のチップに保存する最適Gammaパラメーター記憶ユニットとを含む。
【００１２】
本発明の実施例において、前記グラデーション三原色標準画像は、赤、緑、青の三色の各色が輝度０〜２５５順で帯状に配列されて構成する画像である。
【００１３】
本発明の実施例において、前記グラデーション三原色標準画像起動ユニットは、各画素のグレースケール輝度を確定するグレースケール輝度確定ユニットと、前記グレースケール輝度によってグレースケール電圧を確定するグレースケール電圧確定ユニットと、前記グレースケール電圧によってプログラムのコンパイル及び書き込みを行うプログラムコンパイル・書き込みユニットと、前記プログラムで前記グラデーション三原色標準画像を発光させる起動ユニットとを含む。
【００１４】
本発明の実施例において、前記最適Gammaパラメーター獲得ユニットは、各Gamma値に対応する前記グラデーション三原色標準画像中の不可視グラデーション線の本数を記録する不可視グラデーション線記録ユニットと、予め設定した不可視グラデーション線の本数によって前記三原色の最適Gammaパラメーターを確定する最適Gammaパラメーター確定ユニットとを含む。
【００１５】
本発明の実施例において、前記最適Gammaパラメーター確定ユニットは、前記グラデーション三原色標準画像中の不可視グラデーション線の本数が予め設定した不可視グラデーション線の本数と等しいときの三原色のGamma値を最適Gammaパラメーターに設定する。
【００１６】
本発明の表示器の表示方法は、表示器の輝度を獲得するステップと、表示器のチップに保存された前記輝度に対応する三原色の最適Gammaパラメーターを読み出すステップと、前記三原色の最適Gammaパラメーターで表示器の表示を校正するステップとを含む。
【００１７】
本発明の実施例において、前記グラデーション三原色標準画像中の不可視グラデーション線の本数により、前記輝度に対応する前記三原色の最適Gammaパラメーターを確定する。
【００１８】
本発明の実施例において、前記グラデーション三原色標準画像中の不可視グラデーショ
ン線の本数により前記輝度に対応する前記三原色の最適Gammaパラメーター確定するステップは、前記該輝度下で前記グラデーション三原色標準画像を発光させるステップと、異なる複数個のGamma値を使用して前記グラデーション三原色標準画像の表示を校正するステップと、校正結果によって前記輝度に対応する前記三原色の最適Gammaパラメーターを獲得するステップとを含む。
【００１９】
本発明の実施例において、前記校正結果によって前記輝度に対応する前記三原色の最適Gammaパラメーターを獲得するステップは、各Gamma値に対応する前記グラデーション三原色標準画像中の不可視グラデーション線の本数を記録するステップと、予め設定した不可視グラデーション線の本数によって前記三原色の最適Gammaパラメーターを確定するステップとを含む。
【００２０】
本発明の実施例において、予め設定した不可視グラデーション線の本数によって前記三原色の最適Gammaパラメーターを確定するステップは、具体的に、前記グラデーション三原色標準画像中の不可視グラデーション線の本数が予め設定した不可視グラデーション線の本数と等しいときの三原色のGamma値を最適Gammaパラメーターに設定するステップである。
【００２１】
本発明の表示器の表示装置は、表示器の輝度を獲得する輝度獲得ユニットと、表示器チップに保存された前記輝度に対応する三原色の最適Gammaパラメーターを獲得するGammaパラメーター獲得ユニットと、前記三原色の最適Gammaパラメーターで前記表示器の表示を校正する表示校正ユニットとを含む。
【００２２】
本発明の実施例において、前記グラデーション三原色標準画像中の不可視グラデーション線の本数により、前記輝度に対応する三原色の最適Gammaパラメーターを確定する。
【発明の効果】
【００２３】
上述した表示器Gammaパラメーター確定方法は、異なる複数個のGamma値で前記グラデーション三原色標準画像の表示を校正し、異なる校正結果によって最高表示効果を実現することができる。校正結果により前記輝度に対応する三原色の最適Gammaパラメーターを獲得し、前記三原色の最適Gammaパラメーターは表示器の最高表示効果を代表する。前記表示器の表示方法は、前記輝度に対応する三原色の最適Gammaパラメーターを獲得し、かつ該最適Gammaパラメーターで表示器の表示を校正することにより、画質を向上させ、表示器で優秀な画面を表示することができる。
【図面の簡単な説明】
【００２４】
【図１】本発明の実施例に係る表示器のGammaパラメーター確定方法を示す流れ図である。
【図２ａ】本発明の実施例に係るグラデーション三原色標準画像を構成する赤色部を示す図である。
【図２ｂ】本発明の実施例に係るグラデーション三原色標準画像を構成する緑色部を示す図である。
【図２ｃ】本発明の実施例に係るグラデーション三原色標準画像を構成する青色部を示す図である。
【図３】図１における該輝度下でグラデーション三原色標準画像を発光させることを示す流れ図である。
【図４】本発明の具体的な実施例において、校正結果により該輝度に対応する三原色の最適Gammaパラメーターを獲得することを示す流れ図である。
【図５】本発明の実施例の、２５０ｃｄ／ｍ２の輝度における入力信号と出力光の強度との間の関係を示す図である。
【図６】本発明の実施例の、３００ｃｄ／ｍ２の輝度における入力信号と出力光の強度との間の関係を示す図である。
【図７】本発明の実施例の、３５０ｃｄ／ｍ２の輝度における入力信号と出力光の強度との間の関係を示す図である。
【図８】本発明の実施例の、４００ｃｄ／ｍ２の輝度における入力信号と出力光の強度との間の関係を示す図である。
【図９】本発明の実施例の、４５０ｃｄ／ｍ２の輝度における入力信号と出力光の強度との間の関係を示す図である。
【図１０ａ】本発明の実施例の、異なる輝度、異なるGamma値に対応するアクティブマトリックス有機発光ダイオード表示器の赤色、緑色、青色の三色のグラデーション線が不可視を示す図である。
【図１０ｂ】図１０ａの続きである、本発明の実施例の、異なる輝度、異なるGamma値に対応するアクティブマトリックス有機発光ダイオード表示器の赤色、緑色、青色の三色のグラデーション線が不可視を示す図である。
【図１１】本発明の実施例に係る表示器の表示方法を示す流れ図である。
【図１２】本発明の実施例に係るGammaパラメーター確定装置の構成を示す図である。
【図１３】図１２中のグラデーション三原色標準画像起動ユニットの構成を示す図である。
【図１４】図１２中の最適Gammaパラメーター獲得ユニットの構成を示す図である。
【図１５】本発明の実施例に係る表示器の表示装置の構成を示す図である。
【発明を実施するための形態】
【００２５】
図１に示すとおり、本発明の実施例に係る表示器のGammaパラメーター確定方法は、下記ステップを含む。
【００２６】
Ｓ１１０において、表示器の輝度を設定する。
【００２７】
表示器の輝度が変化するとき、表示器のGamma値を改変しなければ、最適な表示効果を獲得することができない。本実施例において、色々なGamma値を使用して画面を校正し、該輝度に対応する最適Gammaパラメーターを選択する。
【００２８】
Ｓ１２０において、該輝度下でグラデーション三原色標準画像を発光させる。
【００２９】
図２ａ〜２ｃに示すとおり、グラデーション三原色標準画像は、赤（図２ａ）、緑（図２ｂ）、青（図２ｃ）の三色の各色が輝度０〜２５５順で帯状に配列されて構成する画像である。本実施例において、グラデーション三原色標準画像は色々なGamma値によって校正される。不可視グラデーション線の本数を数えることで表示効果を記録する。所定の表示効果を使用したいとき、所定の不可視グラデーション線の本数に対応するGamma値を選択することで所定の表示効果を得ることができる。
【００３０】
具体的な実施例において、図３に示すとおり、該輝度下でグラデーション三原色標準画像を発光させることは、下記ステップを含む。
【００３１】
Ｓ１２２において、各画素のグレースケール輝度を確定する。
【００３２】
グラデーション三原色標準画像自体が画素のグレースケール０〜２５５順で帯状に配列される画像であるので、グラデーション三原色標準画像を使用することにより表示器のカラー解像度を充分に表示することができる。
【００３３】
Ｓ１２４において、グレースケール輝度でグレースケール電圧を確定する。
【００３４】
画素のグレースケール輝度をグレースケール電圧に変換することにより、表示器が画像を表示することができる。
【００３５】
Ｓ１２６において、グレースケール電圧に基づいてプログラムのコンパイルと書き込みを行う。
【００３６】
表示制御回路は通常専用のチップで駆動・制御されるので、画素のグレースケール電圧に基づいてプログラムのコンパイルと書き込みを行う必要がある。
【００３７】
Ｓ１２８において、プログラムによりグラデーション三原色標準画像を発光させる。
【００３８】
コンパイルされたプログラムで各グレースケール電圧を表示器に印加することにより、表示器の表示を実現することができる。表示器の発光方法としてマトリックス走査駆動回路を採用することができる。マトリックス走査駆動回路には行電極と列電極が含まれている。行電極は水平方向の複数の画素のバック電極が一緒に接続されて構成するものであり、列電極は縦方向の複数の画素のセグメント電極が一緒に接続されて構成するものである。いずれか一行の発光画素ユニットにおいて、発光させる必要がある列を正電極に接続させ、発光させる必要がない画素ユニットの列を接地させる。この行の電極が接地するとき、該行上であって正電極に接続された列に位置するすべての画素ユニットは発光し、該行上であって接地した列に位置する画素ユニットはいずれも発光しない。この方法は、ＣＲＴのラスタースキャン（Raster  scan）方法と類似し、行電極に選択パルスを循環的に印加するとともに列電極に選択駆動パルス或いは非選択駆動パルスを印加することにより、所定の行のすべての表示画素の表示機能を実現することができる。
【００３９】
Ｓ１３０において、異なる複数個のGamma値でグラデーション三原色標準画像の表示を校正する。
【００４０】
表示器の特殊な光電効果により、表示器の入力信号と出力信号は非線型性の関係にある。表示器の出力光信号の強度がＬであり、入力電圧がＵである場合、二者の関係は、Ｌ＝ｋＵγである。この式において、ｋは定数であり、γは表示器のGamma値であり、該非線型性の関係を表示器のGamma校正という。表示器の入力電圧と出力光信号の強度を校正しないと、出力画像の輝度と色温度に大きなディストーションが発生するおそれがある。
【００４１】
Ｓ１４０において、校正結果により該輝度に対応する三原色の最適Gammaパラメーターを獲得する。
【００４２】
Gamma校正は、画像が原物或いは原画像の視覚情報をできるだけ表示することを確保する重要なことである。異なるGamma値で校正を行うことにより色々な表示効果を奏することができる。Gamma校正の結果により該輝度に対応する三原色の最適Gammaパラメーターを獲得することができる。
【００４３】
具体的な実施例において、図４に示すとおり、校正結果により該輝度に対応する三原色の最適Gammaパラメーターを獲得するステップは、下記ステップを含む。
【００４４】
Ｓ１４２において、各Gamma値に対応するグラデーション三原色標準画像中の不可視グラデーション線の本数を記録する。
【００４５】
グラデーション三原色標準画像中の不可視グラデーション線の本数が少なければ少ない
ほど、各色に対する表示器の解像範囲がより広くなり、三原色で組み合わせられた色の範囲もより広くなる。表示器の表示効果も不可視グラデーション線の本数に関連し、普通、表示効果が最高に達する時人工で記録した不可視グラデーション線の本数を、表示器の表示の参考とすることができる。
【００４６】
Ｓ１４４において、予め設定した不可視グラデーション線の本数によって三原色の最適Gammaパラメーターを確定する。
【００４７】
予め設定した不可視グラデーション線の本数によって三原色の最適Gammaパラメーターを確定することは、具体的に、グラデーション三原色標準画像中の不可視グラデーション線の本数が予め設定した不可視グラデーション線の本数と等しい時の三原色のGamma値を最適Gammaパラメーターに設定する。
【００４８】
表示器の表示効果を人工的に判断するが、表示効果が最高に達する時の不可視グラデーション線の本数を記録する。該不可視グラデーション線の本数を予め設定する不可視グラデーション線の本数にする。この予め設定した不可視グラデーション線の本数により、異なる輝度に対応する三原色の最適Gammaパラメーターを確定する。不可視グラデーション線の本数は作業者が確定することができるが、人と人の間の差異を避けるため、画像の分析で不可視グラデーション線の本数を確定することができる。
【００４９】
Ｓ１５０において、該輝度に対応する三原色の最適Gammaパラメーターを表示器のチップに保存する。
【００５０】
最後に、該輝度における赤色、緑色、青色の三色の最適Gammaパラメーターを獲得し、このデータを表示器のチップに保存する。使用の時、表示器の輝度を変化させるとき、表示器のチップから現在の輝度に対応する最適Gammaパラメーターを読み出し、該Gammaパラメーターで表示器の表示を校正することにより、表示器の最高表示効果を実現することができる。
【００５１】
上述した表示器のGammaパラメーター確定方法は、異なる複数個のGamma値で前記グラデーション三原色標準画像の表示を校正し、異なる校正結果によって最高表示効果を実現することができる。校正結果により前記輝度に対応する三原色の最適Gammaパラメーターを獲得するが、前記三原色の最適Gammaパラメーターは表示器の最高表示効果を代表する。最適Gammaパラメーターで表示器の表示を校正することにより、画質を向上させ、表示器で優秀な画面を表示することができる。
【００５２】
上述した表示器のGammaパラメーター確定方法は、グラデーション三原色標準画像中の不可視グラデーション線の本数により、表示器の輝度に対応する最適Gammaパラメーターを確定する。該不可視グラデーション線の本数は最高表示効果を代表する。該最適Gammaパラメーターで表示器の表示を校正することにより、画質を向上させ、表示器で優秀な画面を表示することができる。
【００５３】
具体的な実施例において、図５に示すとおり、横座標は入力信号の強度を示し、縦座標は出力光の強度を示す。２５０ｃｄ／ｍ２の輝度で、アクティブマトリックス発光表示器の赤色、緑色、青色の三色のGamma値が１．８であるとき、赤色、緑色、青色のグラデーション画像中の不可視グラデーション線の本数をそれぞれ記録する。同様に、赤色、緑色、青色の三色のGamma値がそれぞれ１．９、２．０、２．１、２．２、２．３、２．４、２．５であるとき、赤色、緑色、青色のグラデーション画像中の不可視グラデーション線の本数をそれぞれ記録する。図５の複数の曲線に対応するGamma値は、最上線から再下線へそれぞれ、１．８、１．９、２．０、２．１、２．２、２．３、２．４及び２．５であ
る。
【００５４】
図６に示すとおり、横座標は入力信号の強度を示し、縦座標は出力光の強度を示す。３００ｃｄ／ｍ２の輝度で、アクティブマトリックス発光表示器の赤色、緑色、青色の三色のGamma値が１．８であるとき、赤色、緑色、青色のグラデーション画像中の不可視グラデーション線の本数をそれぞれ記録する。また、赤色、緑色、青色の三色のGamma値がそれぞれ１．９、２．０、２．１、２．２、２．３、２．４、２．５であるとき、赤色、緑色、青色のグラデーション画像中の不可視グラデーション線の本数をそれぞれ記録する。図６の複数の曲線に対応するGamma値は、最上線から再下線へそれぞれ、１．８、１．９、２．０、２．１、２．２、２．３、２．４及び２．５である。
【００５５】
図７に示すとおり、横座標は入力信号の強度を示し、縦座標は出力光の強度を示す。３５０ｃｄ／ｍ２の輝度で、アクティブマトリックス発光表示器の赤色、緑色、青色の三色のGamma値が１．８であるとき、赤色、緑色、青色のグラデーション画像中の不可視グラデーション線の本数をそれぞれ記録する。また、赤色、緑色、青色の三色のGamma値がそれぞれ１．９、２．０、２．１、２．２、２．３、２．４、２．５であるとき、赤色、緑色、青色のグラデーション画像中の不可視グラデーション線の本数をそれぞれ記録する。図７の複数の曲線に対応するGamma値は、最上線から再下線へそれぞれ、１．８、１．９、２．０、２．１、２．２、２．３、２．４及び２．５である。
【００５６】
図８に示すとおり、横座標は入力信号の強度を示し、縦座標は出力光の強度を示す。４００ｃｄ／ｍ２の輝度で、アクティブマトリックス発光表示器の赤色、緑色、青色の三色のGamma値が１．８であるとき、赤色、緑色、青色のグラデーション画像中の不可視グラデーション線の本数をそれぞれ記録する。また、赤色、緑色、青色の三色のGamma値がそれぞれ１．９、２．０、２．１、２．２、２．３、２．４、２．５であるとき、赤色、緑色、青色のグラデーション画像中の不可視グラデーション線の本数をそれぞれ記録する。図８の複数の曲線に対応するGamma値は、最上線から再下線へそれぞれ、１．８、１．９、２．０、２．１、２．２、２．３、２．４及び２．５である。
【００５７】
図９に示すとおり、横座標は入力信号の強度を示し、縦座標は出力光の強度を示す。４５０ｃｄ／ｍ２の輝度で、アクティブマトリックス発光表示器の赤色、緑色、青色の三色のGamma値が１．８であるとき、赤色、緑色、青色のグラデーション画像中の不可視グラデーション線の本数をそれぞれ記録する。また、赤色、緑色、青色の三色のGamma値がそれぞれ１．９、２．０、２．１、２．２、２．３、２．４、２．５であるとき、赤色、緑色、青色のグラデーション画像中の不可視グラデーション線の本数をそれぞれ記録する。図９の複数の曲線に対応するGamma値は、最上線から再下線へそれぞれ、１．８、１．９、２．０、２．１、２．２、２．３、２．４及び２．５である。
【００５８】
以上、本発明の好適な実施例を詳述してきたが、前記表示器の輝度の範囲は２５０ｃｄ／ｍ２〜４５０ｃｄ／ｍ２の間に限定されないし、輝度の間隔をより小さくすることもできる。前記Gamma値の範囲も１．８〜２．５の間に限定されないとともに、Gamma値の間隔をより小さくすることができる。
【００５９】
図１０ａと図１０ｂに示すとおり、表示効果により所定の輝度下の赤色、緑色、青色の三色の最適Gammaパラメーターを確定することができる。例えば、６本のグラデーション線が不可視であることを基準にし、輝度が２５０ｃｄ／ｍ２であるとき、Ｒ色のGamma＝２．５、Ｇ色のGamma＝２．５、Ｂ色のGamma＝２．６を選択する。輝度が３００ｃｄ／ｍ２であるとき、Ｒ色のGamma＝２．４、Ｇ色のGamma＝２．４、Ｂ色のGamma＝２．５を選択する。輝度が３５０ｃｄ／ｍ２であるとき、Ｒ色のGamma＝２．１、Ｇ色のGamma＝２．１、Ｂ色のGamma＝２．３を選択する。輝度が４００ｃｄ／ｍ２であるとき、Ｒ色のGamma
＝２．０、Ｇ色のGamma＝２．０、Ｂ色のGamma＝２．２を選択する。輝度が４５０ｃｄ／ｍ２であるとき、Ｒ色のGamma＝１．９、Ｇ色のGamma＝１．９、Ｂ色のGamma＝１．９を選択する。
【００６０】
ここで説明したいことは、予め設定する不可視グラデーション線の本数を６本にせず、異なる本数にすることができる。これにより、異なる表示効果を得ることができる。すなわち、使用者が要求する表示効果により、不可視グラデーション線の本数を異なる本数にすることができる。
【００６１】
最後に、前記異なる輝度と異なるGamma値に対応するアクティブマトリックス発光表示器の赤色、緑色、青色の不可視グラデーション線の本数を表示器のチップに保存する。使用のとき、使用者が表示器の輝度を変化させるとき、輝度により該輝度に対応する最適Gammaパラメーターが適用され、アクティブマトリックス発光表示器の最高表示効果を実現することができる。
【００６２】
図１１に示すとおり、本発明の実施例に係る表示器の表示方法は、下記ステップを含む。
【００６３】
Ｓ２１０において、表示器の輝度を獲得する。最適な表示効果を獲得するために、獲得した該輝度に対応する最適Gammaパラメーターを探し出す。
【００６４】
Ｓ２２０において、表示器のチップに保存された該輝度に対応する三原色の最適Gammaパラメーターを読み出す。
【００６５】
該輝度に対応する三原色の最適Gammaパラメーターは、該輝度下でグラデーション三原色標準画像中の不可視グラデーション線の本数で確定する。具体的に、該輝度下でグラデーション三原色標準画像を発光させ、異なる複数個のGamma値を使用してグラデーション三原色標準画像の表示を校正し、校正結果によって該輝度に対応する前記三原色の最適Gammaパラメーターを獲得する。
【００６６】
校正結果によって該輝度に対応する三原色の最適Gammaパラメーターを獲得することは、各Gamma値に対応するグラデーション三原色標準画像中の不可視グラデーション線の本数を記録するステップと、予め設定した不可視グラデーション線の本数によって三原色の最適Gammaパラメーターを確定するステップとを含む。具体的に、グラデーション三原色標準画像中の不可視グラデーション線の本数が予め設定した不可視グラデーション線の本数と等しい時の三原色のGamma値を最適Gammaパラメーターに設定する。
【００６７】
Ｓ２３０において、三原色の最適Gammaパラメーターで表示器の表示を校正する。表示器のチップに保存された該輝度に対応する三原色の最適Gammaパラメーターで表示器の表示を校正することにより、最適な表示効果を獲得することができる。
【００６８】
上述した表示器の表示方法は、輝度に対応する三原色の最適Gammaパラメーターで表示器の表示を校正することにより、画質を向上させ、表示器で優秀な画面を表示することができる。
【００６９】
図１２に示すとおり、本発明の実施例に係る表示器のGammaパラメーター確定装置１０は、輝度設定ユニット１１０と、グラデーション三原色標準画像起動ユニット１２０と、校正ユニット１３０と、最適Gammaパラメーター獲得ユニット１４０と、最適Gammaパラメーター記憶ユニット１５０とを含む。
【００７０】
輝度設定ユニット１１０は表示器の輝度を設定する。グラデーション三原色標準画像起動ユニット１２０は該輝度下でグラデーション三原色標準画像を発光させる。グラデーション三原色標準画像は、赤、緑、青の各色が輝度０〜２５５順で帯状に配列されて構成する画像である。校正ユニット１３０は、異なる複数個のGamma値でグラデーション三原色標準画像の表示を校正する。最適Gammaパラメーター獲得ユニット１４０は、校正結果によって該輝度に対応する前記三原色の最適Gammaパラメーターを獲得する。最適Gammaパラメーター記憶ユニット１５０は、該輝度に対応する前記三原色の最適Gammaパラメーターを表示器のチップに保存する。
【００７１】
前記表示器のGammaパラメーター確定装置１０は、異なる複数個のGamma値でグラデーション三原色標準画像の表示を校正し、異なる校正結果によって最適な表示効果を獲得することができる。校正結果により前記輝度に対応する三原色の最適Gammaパラメーターを獲得するが、前記三原色の最適Gammaパラメーターは表示器の最高表示効果を代表する。
【００７２】
図１３に示すとおり、本発明の実施例に係るグラデーション三原色標準画像起動ユニット１２０は、グレースケール輝度確定ユニット１２２、グレースケール電圧確定ユニット１２４、プログラムコンパイル・書き込みユニット１２６及び起動ユニット１２８を含む。
【００７３】
グレースケール輝度確定ユニット１２２は各画素のグレースケール輝度を確定する。グレースケール電圧確定ユニット１２４はグレースケール輝度によってグレースケール電圧を確定する。プログラムコンパイル・書き込みユニット１２６はグレースケール電圧によってプログラムのコンパイルと書き込みを行う。起動ユニット１２８は、プログラムでグラデーション三原色標準画像を発光させる。表示器の発光させる方法として通常マトリックス走査駆動回路を採用することができる。マトリックス走査駆動回路は行電極及び列電極を含み、行電極は水平方向の画素のバック電極同士が一緒に接続されて構成するものであり、列電極は縦方向の画素のセグメント電極同士が一緒に接続されて構成するものである。いずれか一行の発光画素ユニットにおいて、発光させる必要がある列を正電極に接続させ、発光させる必要がない画素ユニットの列を接地させる。この行の電極が接地するとき、該行上であって正電極に接続された列に位置するすべての画素ユニットは発光し、接地した列に位置する画素ユニットはいずれも発光しない。この方法は、ＣＲＴのラスタースキャン（Raster  scan）方法と類似し、行電極に選択パルスを循環的に印加するとともに列電極に選択駆動パルス或いは非選択駆動パルスを印加することにより、所定の行のすべての表示画素の表示機能を実現することができる。
【００７４】
図１４に示すとおり、本発明の実施例に係る最適Gammaパラメーター獲得ユニット１４０は、不可視グラデーション線記録ユニット１４２と最適Gammaパラメーター確定ユニット１４４を含む。
【００７５】
不可視グラデーション線記録ユニット１４２は、各Gamma値に対応するグラデーション三原色標準画像中の不可視グラデーション線の本数を記録する。最適Gammaパラメーター確定ユニット１４４は、予め設定した不可視グラデーション線の本数によって三原色の最適Gammaパラメーターを確定する。具体的に、最適Gammaパラメーター確定ユニット１４４は、グラデーション三原色標準画像中の不可視グラデーション線の本数が予め設定した不可視グラデーション線の本数と等しいときの三原色のGamma値を最適Gammaパラメーターに設定する。
【００７６】
図１５に示すとおり、本発明の実施例に係る表示器の表示装置２０は、輝度獲得ユニット２１０、Gammaパラメーター獲得ユニット２２０及び表示校正ユニット２３０を含む。
【００７７】
輝度獲得ユニット２１０は表示器の輝度を獲得する。Gammaパラメーター獲得ユニット２２０は、表示器チップに保存された輝度に対応する三原色の最適Gammaパラメーターを獲得する。表示校正ユニット２３０は、三原色の最適Gammaパラメーターで表示器の表示を校正する。具体的に、グラデーション三原色標準画像中の不可視グラデーション線の本数により、該輝度に対応する三原色の最適Gammaパラメーターを確定する。前記表示器の表示装置２０は、Gammaパラメーター獲得ユニット２２０が輝度に対応する三原色の最適Gammaパラメーターを獲得し、表示校正ユニット２３０が表示器の表示を校正することにより、画質を向上させ、表示器で優秀な画面を表示することができる。
【００７８】
以上、本発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。
【図１】
0006434032.tif 000002
【図２ａ】
0006434032.tif 000003
【図２ｂ】
0006434032.tif 000004
【図２ｃ】
0006434032.tif 000005
【図３】
0006434032.tif 000006
【図４】
0006434032.tif 000007
【図５】
0006434032.tif 000008
【図６】
0006434032.tif 000009
【図７】
0006434032.tif 000010
【図８】
0006434032.tif 000011
【図９】
0006434032.tif 000012
【図１０ａ】
0006434032.tif 000013
【図１０ｂ】
0006434032.tif 000014
【図１１】
0006434032.tif 000015
【図１２】
0006434032.tif 000016
【図１３】
0006434032.tif 000017
【図１４】
0006434032.tif 000018
【図１５】
0006434032.tif 000019